【事件の表示】
　特願２００２−　１５４７１「印刷機の、印刷技術上のパラメータおよびジョブに依存したその他のパラメータを調整する方法」拒絶査定不服審判事件〔平成１４年１０月２９日出願公開、特開２００２−３１６４０５〕について、次のとおり審決する。
【結　論】
　本件審判の請求は、成り立たない。
【理　由】
第１　手続の経緯　
　本願は、平成１４年１月２４日（パリ条約による優先権主張２００１年１月２４日、ドイツ）の出願であって、平成１７年１月２４日及び平成２０年３月２５日付けで手続補正がなされ、同年１２月１０日付けで拒絶の査定がなされ、これに対し平成２１年３月１７日に拒絶査定不服審判が請求されるとともに同日付けで手続補正（以下「本件補正」という。）がなされたものである。　
　当審における平成２２年４月２日付けの審尋に対して、請求人より同年６月２４日に回答書が提出された。　
　
 第２　本件補正の却下の決定 
〔結論〕 
　本件補正を却下する。 
　 
〔理由〕 
１　補正の内容・目的 
（１）補正の内容 
　ア　本件補正は、特許請求の範囲の請求項１の記載を、 
「印刷機の操作員ないし印刷工によって、本機刷りまたは校正刷りで製作された印刷製品の印刷結果が判定され、場合により機械設定が再調整される、印刷機、特にオフセット輪転印刷機における印刷製品、特に本刷りの印刷前または印刷中に、印刷機（１）の機械設定を調整する方法において、　
　紙の判型、坪量、紙の厚さ、剛性、インキ浸透挙動などの被印刷体パラメータ
、および／または
、および／または
、および／または
、および／または
　新たな印刷製品のための印刷機（１）のセットアップのときに、過去の印刷製品のセットアップないし修正のときに前記制御部（４）に記憶された相応の値から影響を受けている機械設定
（１５）
　ことを特徴とする、印刷機の機械設定を調整する方法。」から、
　
「印刷機の操作員ないし印刷工によって、本機刷りまたは校正刷りで製作された印刷製品の印刷結果が判定され、場合により機械設定が再調整される、印刷機、特にオフセット輪転印刷機における印刷製品、特に本刷りの印刷前または印刷中に、印刷機（１）の機械設定を調整する方法において、　
　紙の判型、坪量、紙の厚さ、剛性、インキ浸透挙動などの被印刷体パラメータ
、
、
、
、
　新たな印刷製品のための印刷機（１）のセットアップのときに、過去の印刷製品のセットアップないし修正のときに前記制御部（４）に記憶された相応の値から影響を受けている機械設定が印刷機によって利用される、　
　ことを特徴とする、印刷機の機械設定を調整する方法。」に補正する内容を含むものである。（下線は審決で付した。以下同じ。）　
　
　イ　上記アの本件補正後の請求項１に係る補正は、以下の補正内容からなる。　
　（ア）「所定の入力量」を、本件補正前の「紙の判型、坪量、紙の厚さ、剛性、インキ浸透挙動などの被印刷体パラメータ、および／またはコントラスト、インキ配分、インキレイアウトなどの絵柄パラメータ、および／またはタック、乳化性などのインキパラメータ、および／または湿し水パラメータ、および／または温度、湿度などの環境パラメータによって定まる」ものから、「紙の判型、坪量、紙の厚さ、剛性、インキ浸透挙動などの被印刷体パラメータ、コントラスト、インキ配分、インキレイアウトなどの絵柄パラメータ、タック、乳化性などのインキパラメータ、湿し水パラメータ、温度、湿度などの環境パラメータによって定まる」ものとすること。　
　（イ）本件補正前の、印刷機によって利用される機械設定の後に続く「（１５）」の記載を削除すること。　
　
（２）補正の目的 
　上記（１）イ（ア）の補正内容は本件補正前の請求項１に記載されていた発明を特定するために必要な事項である「所定の入力量」について限定するものである。　
　また、上記（１）イ（イ）の補正内容は形式的なものであって、実質的な補正ではない。　
　してみると、上記（１）の請求項１に係る補正は、全体として、発明を特定するために必要な事項を限定するものであつて、その補正前の当該請求項に記載された発明とその補正後の当該請求項に記載される発明の産業上の利用分野及び解決しようとする課題が同一であるものであるから、平成１８年法律第５５号改正附則第３条第１項によりなお従前の例によるとされる同法による改正前の特許法（以下「旧特許法」という。）第１７条の２第４項第２号の特許請求の範囲の減縮を目的とするものである。 
　そこで、本件補正後の請求項１に記載された発明が特許出願の際独立して特許を受けることができるものであるか（旧特許法第１７条の２第５項において準用する同法第１２６条第５項の規定に適合するか否か）について以下に検討する。 
　
２　刊行物に記載の事項 
　原査定の拒絶の理由に引用された、本願の優先日前に頒布された刊行物である特開２０００−１０８３０８号公報（以下「引用例」という。）には、図とともに次の事項が記載されている（摘記に際して、丸付き数字は、例えば丸ｎ（ｎは数字）と表記した。）。　
　
（１）「【０００１】　
【発明の属する技術分野】本発明は、印刷色調プリセット方法及び装置に関し、さらに詳しくは、
印刷機の印刷における色調調節において、印刷開始時の立ち上りを早くする色調プリセットに適用される方法
　
（２）「【０００２】　
【従来の技術】図８及び図９に基いて
従来の印刷色調プリセット方法
【０００３】さらに、図８において、８は各種の画線率の絵柄を設けたテスト用印刷物、９はこのテスト用印刷物８上の絵柄の濃度を検出する濃度計、１０はインキ供給部の動作を制御するＩＰＣ（インテリジェント・プレス・コントロール）制御装置である。ＩＰＣ制御装置１０は、印刷開始時に早期に色調を安定化させ損紙を少なくするためのＱＳＩ（クイック・スタート・インキング）データを設定するＱＳＩデータ設定装置１１と、ジョブチェンジ（刷版交換）で停止後の印刷再開始時に早期に色調を安定化させ損紙を少なくするための停止の仕方であるＳＰＥ（スマート・プリント・エンド）データを設定するＳＰＥデータ設定装置１２と、印刷濃度又は絵柄面積率とインキキー開度との関係を決定するインキキー変換関数を設定するインキキー変換関数設定装置１３とをそれぞれ備えている。また、１４は上記ＱＳＩデータ設定装置１１及びＳＰＥデータ設定装置１２のプリセット用データや絵柄面積率に対するインキキー開度換算値が予め記憶された記憶装置、１５はテスト用印刷物８の計測データに基づき上記ＱＳＩデータのインキキー開度、インキ元ローラ回転量、及びインキ呼出し回数、上記ＳＰＥデータの刷り減らし枚数、及びインキキー変換関数の絵柄面積率とインキキー開度との関係等を入力する入力装置である。　
【０００４】かくして、
テスト用印刷物８の計測データに基づいて上記ＱＳＩデータのインキキー開度、インキ元ローラ回転量、及びインキ呼出し回数、上記ＳＰＥデータの刷り減らし枚数、及びインキキー変換関数の絵柄面積率とインキキー開度との関係等が入力装置１５からＩＰＣ制御装置１０に入力されるのに応じて、記憶装置１４からそれに対応する情報が読み出されてＩＰＣ制御装置１０に入力され、これに伴ってＩＰＣ制御装置１０から出力される制御信号により、上記ＱＳＩデータ及びＳＰＥデータや、印刷濃度又は絵柄面積率とインキキー開度の関係を決定するインキキー変換関数が設定され、実際の絵柄面積率に対応した結果の信号に基づいてインキキー開度、インキ元ローラ回転量、インキ呼出しローラの呼出し回数等の制御が行なわれるようになっている。
　
（３）「【００１０】このように従来では、
印刷開始に当たって以上の如くそれぞれ必要な値をプリセットすることにより、印刷開始後の早期に色調を安定化させ、損紙の少ない能率の良い印刷ができるようにしている。プリセットするそれぞれの値は、ＱＳＩのためのインキキー開度、インキ元ローラ回転量、インキ呼出しローラ呼出し回数等や、ＳＰＥのための刷り減らし枚数等や、絵柄面積率に対応するインキキー開度を決める関数であるインキキー変換関数等である。
【００１１】従来においては、
これらの値として予め与えられた数値を入力し、実際の印刷状態からオペレータの判断によりその数値を適宜に修正するようにしている。
　
（４）「【００１２】　
【発明が解決しようとする課題】しかしながら、
上述の如き従来の印刷色調プリセット方法
次のような問題点がある。
（１）  
印刷開始時にオペレータの勘により修正入力を行なうようにしているため、最適値からのずれが起こり、紙損が多くなることがある。
（２）  測定値通りではなく、印刷の変化程度をオペレータの勘に基づいて判断するため、
精度が悪く、紙損を適正化するまでに多くの時間を必要とする場合がある。
（３）  
未熟練オペレータでは、修正入力の最適化は困難である。
（４）  テスト用絵柄を印刷してその印刷物を計測し、関係関数を決定する手順を要するため、テスト時間及び費用が余分に必要である。　
【００１３】
【発明が解決しようとする課題】
本発明は、このような問題点に鑑みてなされたものであって、その目的は、未熟練オペレータであっても色調の早期安定化ができ、色調安定化に要する時間（テスト時間）の短縮及び紙損の低減、ひいては色調調節のための費用の低減を図ることができるような印刷色調プリセット方法
　
（５）「【００１６】図１は本発明の
第１実施形態
【００１７】また、図１において、２５は記憶装置であり、
この記憶装置２５には、図３に示すような印刷開始前用のＱＳＩデータ関数や、図４（Ａ）に示すような複数のインキキー開度変換関数や、図５に示すようなＳＰＥデータ関数等のデータが予め記憶されると共に、上記入力装置２３から入力されたデータが記憶されるようになっている。一方、上述の制御装置２４には、記憶装置２５の記憶データに基づいてプリセットするインキキー開度を演算するインキキー開度演算装置２６と、プリセット用ＱＳＩデータを演算するＱＳＩデータ演算装置２７と、プリセット用ＳＰＥデータを演算するＳＰＥデータ演算装置２８と、それらの間のデータのやり取りを制御するコントローラ２９等がそれぞれ備えられている。そして、上記制御装置２４から出力される制御信号（結果信号）がＩＰＣ制御装置１０に供給されるように構成されており、このＩＰＣ制御装置１０からの制御信号に基づいてインキキー開度、インキ元ローラ送り量、呼出しローラ呼出し回数等の制御が行なわれるようになっている。
【００１８】以上の如き構成の装置を用いて、まず最初に印刷を行なう際には、印刷開始時に使用するＱＳＩはインキキー開度Ｋを図３の丸１とし、インキ元ローラ１の回転量を３０％、インキ呼出しローラ５の呼出し回数を４０回と初期設定する。また、印刷するためのインキキー開度の初期設定は図４（Ａ）中のパターンIII にする。また、ジョブチェンジ時（刷版交換時）停止用ＳＰＥの刷り減らし枚数Ｐは、図５の丸１にする。初期設定を以上のようにし、印刷開始（運転開始）してから終了するまでに図２に示すように印刷サンプル取り又はデータ取り込みを行ない、それぞれのデータを記億して色調調整のために利用する。印刷開始後２０枚目の印刷サンプル２０のデータをＱＳＩ２０とし、ジョブチェンジ（刷版交換）後に再スタートして２０枚目のサンプル２０のデータをＳＰＥ２０とし、
印刷終了直前等の良好な状態の各インキキー開度データ及びその印刷絵柄面積率のデータをＯＫデータ（ＯＫＤ）として記憶装置２５に記憶させる。
・・・略・・・
【００２１】また、
印刷終了時等における印刷良好状態のＯＫＤデータは、各画線面積率対応のインキキー開度値が図４（Ａ）の各パターンのうちＯＫＤと差が少ないものを最少２乗法で選択し、次回の印刷時にその選択したパターンを使用し、絵柄面積率に応じたインキキ−開度をプリセットする。以後、順次にこの選択方法で次回のパターンを選択し、それに基づきプリセットする。
【００２２】
このようにして次々と実績の状況に応じて自動的にデータ選択を行って運転する。これにより、実績に応じた状態で良好な印刷ができることになる。
【００２３】以上のようにしてプリセットすることにより、印刷開始時のＱＳＩデータ、ＳＰＥデータ、印刷用インキキー開度の設定値をその都度入力するか、或いは前のままにしていた従来法とは異なり、
自動的に前回の印刷状態の補正をすることができることとなるので、未熟練オペレータでも色調の早期安定化を行なうことができる。従って、印刷テスト時間の短縮化による時間の節約を図ることが可能となると共に、損紙の低減を図ることが可能となる。
　
（６）「【００２４】次に、
本発明の第２実施形態に係る印刷色調プリセット方法について述べると、以下の通りである。
本実施形態においては、
上記印刷良好状態のインキキー開度データとその時の絵柄面積率デ−タを記憶して蓄積しておき、任意特定回数又は任意特定期間に亘り蓄積したデータを演算処理して新たに図４（Ｂ）に示すようなプリセット値決定用の関係曲線（インキキー変換関数）のパターンを求め、その新しく求めたパターンを絵柄面積率とインキキー開度関数として既存の選択パターンに追加するようにしている。
【００２５】このような本発明の
第２実施形態によれば、既述の第１実施形態の場合と同様の作用効を得ることができるのに加え、実績を重ねることにより色調の早期安定化を更に自動的に短時間のうちに進行させることができる。
　 
（７）上記（１）ないし（６）から、引用例には、次の発明（以下「引用発明」という。）が記載されているものと認められる。　
　
「印刷機の印刷における色調調節において、印刷開始時の立ち上りを早くする色調プリセット方法であって、　
　従来の印刷色調プリセット方法では、テスト用印刷物の計測データに基づいてＱＳＩデータのインキキー開度、インキ元ローラ回転量、及びインキ呼出し回数、ＳＰＥデータの刷り減らし枚数、及びインキキー変換関数の絵柄面積率とインキキー開度との関係等が入力装置からＩＰＣ制御装置に入力し、これに応じて記憶装置から対応する情報を読み出してＩＰＣ制御装置に入力し、これに伴ってＩＰＣ制御装置から制御信号を出力して、ＱＳＩデータ、ＳＰＥデータ、印刷濃度又は絵柄面積率とインキキー開度の関係を決定するインキキー変換関数を設定し、実際の絵柄面積率に対応した結果の信号に基づいて、印刷開始後の早期に色調を安定化させ、損紙の少ない能率の良い印刷ができるように、ＱＳＩのためのインキキー開度、インキ元ローラ回転量、インキ呼出しローラ呼出し回数等、ＳＰＥのための刷り減らし枚数等、絵柄面積率に対応するインキキー開度を決める関数であるインキキー変換関数等をプリセットし、また、実際の印刷状態からオペレータの判断によりその数値を適宜に修正していたが、印刷開始時にオペレータの勘により修正入力を行なうようにしていたために、最適値からのずれが起こり、紙損が多く、適正化するまでに多くの時間を必要とする場合があるという問題点、未熟練オペレータでは修正入力の最適化は困難であるという問題点等があったことを鑑みて、未熟練オペレータであっても色調の早期安定化ができ、色調安定化に要する時間（テスト時間）の短縮及び紙損の低減ひいては色調調節のための費用の低減を図ることを目的として、　
　記憶装置に、印刷開始前用のＱＳＩデータ関数や複数のインキキー開度変換関数やＳＰＥデータ関数等のデータを予め記憶し、また、入力装置から入力されたデータを記憶し、　
　記憶装置の記憶データに基づいてプリセットするインキキー開度を演算するインキキー開度演算装置と、セット用ＱＳＩデータを演算するＱＳＩデータ演算装置と、プリセット用ＳＰＥデータを演算するＳＰＥデータ演算装置と、それらの間のデータのやり取りを制御するコントローラ等がそれぞれ備えられている制御装置から制御信号（結果信号）を出力して、ＩＰＣ制御装置に供給し、このＩＰＣ制御装置からの制御信号に基づいてインキキー開度、インキ元ローラ送り量、呼出しローラ呼出し回数等の制御を行ない、　
　印刷終了直前等の印刷良好状態の各インキキー開度データ及びその印刷絵柄面積率のデータをＯＫデータ（ＯＫＤ）として記憶装置に記憶して蓄積しておき、任意特定回数又は任意特定期間に亘り蓄積したデータを演算処理して、新たにプリセット値決定用の関係曲線（インキキー変換関数）のパターンを求め、その新しく求めたパターンを絵柄面積率とインキキー開度関数として既存の選択パターンに追加し、それに基づきプリセットするものであって、実績を重ねることにより色調の早期安定化を更に自動的に短時間のうちに進行させることができる色調プリセット方法。」　
　
３　対比　
　本件補正後の請求項１に記載された発明は、　
「印刷機の操作員ないし印刷工によって、本機刷りまたは校正刷りで製作された印刷製品の印刷結果が判定され、場合により機械設定が再調整される、印刷機、特にオフセット輪転印刷機における印刷製品の本刷りの印刷前に、印刷機の機械設定を調整する方法において、　
　紙の判型、坪量、紙の厚さ、剛性、インキ浸透挙動などの被印刷体パラメータ、コントラスト、インキ配分、インキレイアウトなどの絵柄パラメータ、タック、乳化性などのインキパラメータ、湿し水パラメータ、温度、湿度などの環境パラメータによって定まる所定の入力量と、インキ配分の調整によって定まる、印刷ジョブを特徴付ける機械設定が、許可信号にしたがって印刷機の制御部に記憶され、　
　新たな印刷製品のための印刷機のセットアップのときに、過去の印刷製品のセットアップないし修正のときに前記制御部に記憶された相応の値から影響を受けている機械設定が印刷機によって利用される、　
　ことを特徴とする、印刷機の機械設定を調整する方法。」（以下「本願補正発明」という。）を含むものである。
　よって、本願補正発明と引用発明とを対比する。　
　
（１）引用発明の「印刷機の印刷における色調調節において、印刷開始時の立ち上りを早くする色調プリセット方法」、「印刷絵柄面積率のデータ」及び「インキキー開度」は、それぞれ、本願補正発明の「印刷製品の本刷りの印刷前に、印刷機の機械設定を調整する方法」、「所定の入力量」及び「インキ配分の調整によって定まる、印刷ジョブを特徴付ける機械設定」に相当する。　
　
（２）印刷機の操作員ないし印刷工によって、本機刷りまたは校正刷りで製作された印刷製品の印刷結果を判定することと、場合によってはインキー開度等の機械設定を再調整することのいずれも技術常識である。　
　よって、引用発明において機械設定が調整される印刷機と、本願補正発明において機械設定が調整される印刷機とは、「印刷機の操作員ないし印刷工によって、本機刷りまたは校正刷りで製作された印刷製品の印刷結果が判定され、場合により機械設定が再調整される、印刷機」である点で一致する。　
　
（３）引用発明における「印刷終了直前等の印刷良好状態の各インキキー開度データ及びその印刷絵柄面積率のデータをＯＫデータ（ＯＫＤ）として記憶装置に記憶して蓄積して」おくことと、本願補正発明の「紙の判型、坪量、紙の厚さ、剛性、インキ浸透挙動などの被印刷体パラメータ、コントラスト、インキ配分、インキレイアウトなどの絵柄パラメータ、タック、乳化性などのインキパラメータ、湿し水パラメータ、温度、湿度などの環境パラメータによって定まる所定の入力量と、インキ配分の調整によって定まる、印刷ジョブを特徴付ける機械設定が、許可信号にしたがって印刷機の制御部に記憶され」ることとは、「所定の入力量と、インキ配分の調整によって定まる、印刷ジョブを特徴付ける機械設定が印刷機の制御部に記憶され」る点で一致する。　
　
（４）印刷機は、様々な印刷製品を印刷するものであるところ、引用発明におけるプリセットが、新たな印刷製品を印刷する前になされることは当業者に自明である。　
　このことと、引用発明が「印刷終了直前等の印刷良好状態の各インキキー開度データ及びその印刷絵柄面積率のデータをＯＫデータ（ＯＫＤ）として記憶装置に記憶して蓄積しておき、任意特定回数又は任意特定期間に亘り蓄積したデータを演算処理して、新たにプリセット値決定用の関係曲線（インキキー変換関数）のパターンを求め、その新しく求めたパターンを絵柄面積率とインキキー開度関数として既存の選択パターンに追加し、それに基づきプリセットするものであって、実績を重ねることにより色調の早期安定化を更に自動的に短時間のうちに進行させることができる」ことから、引用発明は、本願補正発明の「新たな印刷製品のための印刷機のセットアップのときに、過去の印刷製品のセットアップないし修正のときに前記制御部に記憶された相応の値から影響を受けている機械設定が印刷機によって利用される」点を備えているといえる。　
　
（５）上記（１）ないし（４）からみて、本願補正発明と引用発明とは、
「印刷機の操作員ないし印刷工によって、本機刷りまたは校正刷りで製作された印刷製品の印刷結果が判定され、場合により機械設定が再調整される、印刷機における印刷製品の本刷りの印刷前に、印刷機の機械設定を調整する方法において、　
　所定の入力量と、インキ配分の調整によって定まる、印刷ジョブを特徴付ける機械設定が印刷機の制御部に記憶され、　
　新たな印刷製品のための印刷機のセットアップのときに、過去の印刷製品のセットアップないし修正のときに前記制御部に記憶された相応の値から影響を受けている機械設定が印刷機によって利用される印刷機の機械設定を調整する方法。」の点で一致し、次の点で相違する。　
　
相違点１：　
　印刷機が、本願補正発明では、特にオフセット輪転印刷機であると特定されるのに対して、引用発明では、そのような特定がなされていない点。　
　
相違点２：　
　所定の入力量が、本願補正発明では、紙の判型、坪量、紙の厚さ、剛性、インキ浸透挙動などの被印刷体パラメータ、コントラスト、インキ配分、インキレイアウトなどの絵柄パラメータ、タック、乳化性などのインキパラメータ、湿し水パラメータ、温度、湿度などの環境パラメータによって定まるものであるのに対して、引用発明においては、そのように定まるものではない点。　
　
相違点３：　
　印刷機の制御部に印刷ジョブを特徴付ける機械設定を記憶することが、本願補正発明においては、許可信号にしたがってなされるのに対して、引用発明においては、そのようになされるか否か不明な点。　
　
５　判断　
　上記相違点１ないし３について検討する。　
（１）相違点１について　
　オフセット輪転印刷機に、印刷条件に応じてプリセットすることは技術常識である（例．特許第３０１６０２８号公報（２欄４〜８行及び１２欄２２〜４８行参照。）。以下「技術常識」という。）。　
　よって、引用発明において、プリセットする印刷機をオフセット輪転印刷機とし、上記相違点１に係る本願補正発明の構成となすことは、技術常識に基づいて当業者が適宜なし得た程度のことである。　
　
（２）相違点２について　
　ア　印刷機各部の設定ないし調整を、印刷に影響を及ぼす様々な印刷条件に基づいて行うことと、印刷機各部の設定ないし調整に際して考慮する印刷条件として、被印刷物に関する印刷条件、絵柄に関する印刷条件、インキに関する印刷条件、湿し水に関する印刷条件、環境に関する印刷条件があることのいずれも本願の優先日前に周知である（例．特許第３０１６０２８号公報（２欄４〜８行、１２欄２２〜４８行及び１５欄１７〜２８行参照。作業者が印刷に先だって入力装置から品名と、紙幅、連量等の用紙データと、折り方を定めるための折り仕様と、折部で使用するスリッター、チョッパー、ミシン等機器の指定と、印刷速度と、絵柄面積率と、一般品目、特定品目、リピート印刷の別を示す印刷種別とを含む基本条件を入力して終了すると、演算装置は、入力された基本条件、所定の演算式に基づいてプリセット内容の決定を行い、これに基づいて駆動制御装置に信号を送り印刷機各部を駆動してプリセットを実施することが記載されている。）、特開平４−２２１６４１号公報（【０００７】〜【０００９】、【００１１】、【００１４】参照。制御装置が、絵柄面積、紙質、インキ特性等の諸初期条件、および現在濃度用レジスタに格納された濃度の積算値、基準濃度用レジスタに格納された濃度の基準値を入力として、ブレード開量、インキ送り量、水送り量の設定信号を出力することが記載されている。）、特開平５−１０４６９９号公報（【０００５】参照。印刷する紙の種類、インキの種類、周囲の温度や湿度の変化等も考慮に入れ、インキ・キー開度の設定を行うことが記載されている。）、特開昭５９−９０５８号公報（公報２頁左上欄末行〜同頁右上欄５行参照。印刷インキ、印刷用紙、および環境温度等の印刷条件の指定に基き、対応する要素値を記憶部から読出し、この要素値で記憶媒体からのインキキー開度情報を演算し、この演算結果で印刷機のインキキー開度を制御せしめることが記載されている。）、特開平４−１４４５３号公報（公報３頁右上欄３行〜同頁左下欄１６行参照。印刷条件設定システムは、テンション、乾燥温度などの乾燥条件、コンペンロール位置、版サイドレー位置、光電管やＥＰＣセンサー等の各種センサー位置、ドクター圧力やドクター高さ、印圧、印刷スピード、印刷用の紙またはフィルムの材質、印刷シリンダーの径等の印刷に必要な各種条件を予め記憶装置に記憶し、必要に応じて所望の印刷条件を出力することが記載されている。）、特開平９−２７７４９４号公報（【００２６】参照。印刷速度，湿し水量，紙質等の各種運転条件に対応する補正量に基づいて、見当補正を行うことにより良好な見当精度を得ることが記載されている。）、特開平１１−５２９７号公報（【００２０】、【００２４】参照。これからセットしようとする刷版（新刷版）について、その刷版が用いられる印刷ユニット、その印刷ユニッにおけるインキツボキーの開度、インキツボローラの回転量、湿し水の供給量などの設定値データを読み出すことが記載されている。）、特開平４−２５００４１号公報（【０００２】〜【０００６】参照。周囲の温湿度変化や印刷機械のローラの発熱による温度変化等の影響により、インキの粘度、印刷圧力、インキ中の湿し水の含有量等が変化し、その結果、印刷物の色調が経時変化すること、変動の色調は、インキ供給量の変動だけでなく、湿し水供給量の変動によっても左右されること等から、インキ供給量と湿し水供給量との両方を調整することが記載されている。）。以下「周知技術」という。）。　
　イ　引用発明におけるプリセットの精度をより高くするために、プリセットを、被印刷物に関する印刷条件、絵柄に関する印刷条件、インキに関する印刷条件、湿し水に関する印刷条件、環境に関する印刷条件に基づいて行うものとし、また、これらの印刷条件に基づいてプリセットを行うために、印刷終了直前等の印刷良好状態に記憶装置に記憶して蓄積するＯＫデータ（ＯＫＤ）として、各インキキー開度データを、被印刷物に関する印刷条件、絵柄に関する印刷条件、インキに関する印刷条件、湿し水に関する印刷条件、環境に関する印刷条件とともに記憶するようになすことは、当業者が周知技術に基づいて容易になし得たことである。　
　ウ　上記イのようになした引用発明における「各インキキー開度データを、被印刷物に関する印刷条件、絵柄に関する印刷条件、インキに関する印刷条件、湿し水に関する印刷条件、環境に関する印刷条件とともに記憶したＯＫデータ（ＯＫＤ）」は、本願補正発明において制御部に記憶される「被印刷体パラメータ、絵柄パラメータ、インキパラメータ、湿し水パラメータ、環境パラメータによって定まる所定の入力量と、インキ配分の調整によって定まる、印刷ジョブを特徴付ける機械設定」に相当するといえる。　
　そして、被印刷物に関する印刷条件として、紙の判型、坪量、紙の厚さ、剛性、インキ浸透挙動などがあり、絵柄に関する印刷条件として、コントラスト、インキ配分、インキレイアウトなどがあり、インキに関する印刷条件として、タック、乳化性などがあり、環境に関する印刷条件として、温度、湿度などがあることも、当業者に周知である。　
　よって、引用発明において、上記相違点２に係る本願補正発明の構成となすことは、周知技術に基づいて当業者が適宜なし得た程度のことである。　
　
（３）相違点３について　
　ア　コンピュータの技術分野において、記憶装置への記憶が命令に基づいてなされることは常識である。　
　イ　引用発明は、印刷終了直前等の印刷良好状態の各インキキー開度データ及びその印刷絵柄面積率のデータをＯＫデータ（ＯＫＤ）として記憶装置に記憶して蓄積するものであるところ、上記アのコンピュータの技術分野における常識から、そのような記憶が命令に基づいてなされていることは当業者に自明である。　
　ウ　引用発明における、印刷終了直前等の印刷良好状態の各インキキー開度データ及びその印刷絵柄面積率のデータをＯＫデータ（ＯＫＤ）として記憶装置に記憶して蓄積させるための上記イの命令は、本願補正発明の「許可信号」に相当するといえるから、引用発明は、「許可信号（命令）」にしたがって「記憶すること（記憶と蓄積と）」を行うものといえる。　
　したがって、引用発明が、上記相違点３に係る本願補正発明の構成を備えていることは当業者に自明であるから、上記相違点３は、実質的には相違点とならない。　
　
（４）本願補正発明の奏する効果は、引用発明の奏する効果、周知技術の奏する効果及び技術常識から当業者が予測することができた程度のものである。　
　
（５）上記（１）ないし（４）からみて、本願補正発明は、当業者が引用発明、周知技術及び技術常識に基いて容易に発明をすることができたものである。　
　したがって、本願補正発明は、特許法第２９条第２項の規定により特許出願の際独立して特許を受けることができないものであるから、これを含む本件補正後の請求項１に記載された発明も同様の理由により特許出願の際独立して特許を受けることができないものである。　
　
５　小括　
　以上のとおり、本件補正後の請求項１に記載された発明は特許出願の際独立して特許を受けることができないものであるから、本件補正は、旧特許法第１７条の２第５項で準用する同法第１２６条第５項の規定に違反するものであり、同法第１５９条第１項で読み替えて準用する同法第５３条第１項の規定により却下されるべきものである。　
　
第３　本願発明について　
１　本願発明
　本件補正は上記のとおり却下されたので、本願の請求項１ないし１２に係る発明は、平成２０年３月２５日付け手続補正書によって補正された特許請求の範囲、明細書及び図面の記載からみて、その特許請求の範囲の請求項１ないし１２に記載された事項によって特定されるものであるところ、その請求項１に係る発明（以下「本願発明」という。）は、上記「第２〔理由〕１（１）」に本件補正前の請求項１として記載したとおりのものである。　
　
２　引用例　
　原査定の拒絶の理由に引用された刊行物及びその記載事項は、上記「第２〔理由〕２」に記載したとおりである。　
　
３　対比・判断　
　本件補正後の請求項１に記載された発明は、上記「第２　１（２）」で述べたとおり、本願発明を特定するために必要な事項を限定したものであるから、本件補正後の請求項１に記載された発明は、本願発明の構成要件を全て含み、さらに限定を付加したものに相当する。そうすると、本願発明の構成要件を全て含み、さらに限定を付加したものに相当する本件補正後の請求項１に記載された発明が、上記「第２〔理由〕４」に記載したとおり、当業者が引用発明、周知技術及び技術常識に基いて容易に発明をすることができたものであるから、本願発明も同様の理由により、当業者が引用発明、周知技術及び技術常識に基いて容易に発明をすることができたものである。　
　
４　むすび　
　以上のとおり、本願発明は、当業者が引用発明、周知技術及び技術常識に基いて容易に発明をすることができたものであるから、特許法第２９条第２項の規定により特許を受けることができない。　
　よって、結論のとおり審決する。